(57)【要約】【課題】本発明は全地形対応の医療用のストレッチャーを開示した。【解決手段】ストレッチャー主体を含み、前記ストレッチャー主体の底面には作動ブロックが左右対称的に設置され、前記作動ブロックの中には押圧溝が形成されており、前記押圧溝の左右両側には防振チャンバが対称的に設置され、前記防振チャンバの中にはそれぞれ防振ロッドがスライドできるように連結され、前記防振ロッドと前記防振チャンバとの間には防振ばねが連結され、負傷者をストレッチャー主体の頂面に置き、そして固定ロッドを引き出し、それによって固定布を引き出し、そして固定ロッドを対応した固定空間の中に引っ掛からせ、負傷者を固定し、本装置は屋外で、レスキューが難しいところで負傷者を救うことができ、無限軌道によってストレッチャーを連動させて自動的に前方へ進ませることができ、救助者の体力を省き、また、無限軌道はより良い通過性を持つ。【選択図】図１
2020182810.tif 000002
【特許請求の範囲】
【請求項１】
正面視で、ストレッチャー主体を含み、前記ストレッチャー主体の底面には作動ブロックが左右対称的に設置され、前記作動ブロックの中には押圧溝が形成されており、前記押圧溝の左右両側には防振チャンバが対称的に設置され、前記防振チャンバの中にはそれぞれ防振ロッドがスライドできるように連結され、前記防振ロッドと前記防振チャンバとの間には防振ばねが連結され、前記防振ロッドの下側には前進ブロックが固定的に設置され、前記前進ブロックの中には無限軌道チャンバが設置され、前記無限軌道チャンバと前記押圧溝との間には駆動装置が設置され、
前記駆動装置は駆動軸と、連動溝と、リングギヤと、伸縮スライド溝と、電磁スライド溝と、伸縮軸と、電磁石と、第三ベベルギヤと、連動軸と、駆動輪と、ガイド輪と、無限軌道と、第四ベベルギヤとによって構成され、前記押圧溝の中には前記駆動軸が回転できるように連結され、前記駆動軸の上側には連動溝が形成されており、前記連動溝の内壁にはリングギヤが固定的に設置され、前記連動溝の下側には伸縮スライド溝が形成されており、前記伸縮スライド溝の右側壁には電磁スライド溝が形成されており、前記伸縮スライド溝の中には伸縮軸がスライドできるように連結され、前記伸縮軸の右側面と前記電磁スライド溝の頂壁とにはそれぞれ電磁石が固定的に設置され、下側の前記電磁石が前記電磁スライド溝とスライドできるように連結され、前記伸縮軸の下側が下方へ伸びて前記前進ブロックの頂面を貫通して前記無限軌道チャンバの中に入り、且つ前記無限軌道チャンバの頂壁と前記前進ブロックの頂面と回転できるように連結され、前記伸縮軸の下側には第三べベルギヤが固定的に設置され、前記無限軌道チャンバの前後側壁には三つの連動軸が回転できるように連結され、各前記連動軸の前後両側にはそれぞれ駆動輪が固定的に設置され、前記無限軌道チャンバの前後側壁にはガイド輪が左右対称的に回転できるように連結され、前後両側の前記駆動輪と前記ガイド輪とにはそれぞれ無限軌道が前後対称的に連結され、中間の前記連動軸には前記第三べベルギヤと噛み合っている第四べベルギヤが固定的に設置されたことを特徴とする全地形対応の医療用のストレッチャー。
【請求項２】
前記ストレッチャー主体の中には持ち上げチャンバが左右対称的に設置され、前記持ち上げチャンバの中には前記ストレッチャー主体を駆動して前方へ進ませることができるスイッチ装置が設置され、前記持ち上げチャンバの下側にはそれぞれ噛み合い溝が形成されており、前記ストレッチャー主体と前記噛み合い溝との間には動力装置が設置され、前記動力装置は前記駆動装置を回転連動させることができ、前記ストレッチャー主体の頂面には負傷者を固定できる固定装置が設置されたことを特徴とする請求項１に記載の全地形対応の医療用のストレッチャー。
【請求項３】
前記スイッチ装置は回転軸と、第一トーションばねと、矩形ロッドと、ヒンジブロックと、昇降スライドロッドと、連結軸と、第一ベベルギヤと、主動ギヤとによって構成され、前記持ち上げチャンバの前後側壁には前記回転軸が回転できるように連結され、前記回転軸には第一トーションばねが固定的に設置され、前記第一トーションばねの一端が前記持ち上げチャンバの後側壁と固定的に連結され、前記回転軸には矩形ロッドが固定的に設置され、前記矩形ロッドの片側にはヒンジブロックがヒンジで連結され、前記ヒンジブロックの片側には前記持ち上げチャンバの底壁と前記噛み合い溝の頂壁とスライドできるように連結された昇降スライドロッドがヒンジで連結され、前記昇降スライドロッドの底側には連結軸が回転できるように連結され、前記連結軸の上側には第一べベルギヤが固定的に設置され、前記連結軸の下側には前記リングギヤと噛み合うことができる主動ギヤが固定的に設置されたことを特徴とする請求項１に記載の全地形対応の医療用のストレッチャー。
【請求項４】
前記動力装置はモーターと、モーター軸と、第二ベベルギヤとによって構成され、前記ストレッチャー主体の中には前記モーターが固定的に設置され、前記モーターの中にはモーター軸が回転できるように連結され、前記モーター軸の左右両側がそれぞれ前記噛み合い溝の中に伸びており、且つ前記噛み合い溝の片側壁と回転できるように連結され、前記モーター軸の両側にはそれぞれ前記第一べベルギヤと噛み合うことができる第二べベルギヤが固定的に設置されたことを特徴とする請求項１に記載の全地形対応の医療用のストレッチャー。
【請求項５】
前記固定装置は貯蔵ブロックと、布チャンバと、開口溝と、トーション軸と、第二トーションばねと、固定布と、固定ロッドと、固定ブロックと、固定空間とによって構成され、前記ストレッチャー主体の頂面には前記貯蔵ブロックが左右対称的に設置され、前記貯蔵ブロックの中には布チャンバが設置され、前記布チャンバの前側側壁には前方に開口した開口溝が形成されており、前記布チャンバの左右側壁にはトーション軸が回転できるように連結され、前記トーション軸には第二トーションばねが固定的に設置され、前記第二トーションばねの一端が前記布チャンバの右側壁と固定的に連結され、前記トーション軸には固定布が設置され、前記固定布の片側が前記開口溝から張り出し、また前記固定布の片側には固定ロッドが固定的に連結され、前記ストレッチャー主体の頂面には固定ブロックが左右対称的に固定的に設置され、前記固定ブロックの中には前記固定ロッドと協働されることができる固定空間が設置されたことを特徴とする請求項１に記載の全地形対応の医療用のストレッチャー。
【請求項６】
前記固定布は軟質布によって作られ、柔軟性と引張性とを持ち、負傷者を快適にさせて前記ストレッチャー主体に固定できることを特徴とする請求項４に記載の全地形対応の医療用のストレッチャー。
【請求項７】
前記無限軌道は蝶番によって作られ、折り畳むことができる性能を持つと同時に一定の強度を持つことを特徴とする請求項１に記載の全地形対応の医療用のストレッチャー。
【請求項８】
二つの前記電磁石が通電する時に吸引し合うことができることを特徴とする請求項１に記載の全地形対応の医療用のストレッチャー。
【請求項９】
前記電磁石の吸引力は前記防振ばねの弾性より大きく、同時に険しい道を通る時、前記防振ばねは効果的に振動を抑えることができることを特徴とする請求項１に記載の全地形対応の医療用のストレッチャー。
【請求項１０】
前記矩形ロッドは強度が大きい硬質合金によって支えられ、強い力受け能力を持つことを特徴とする請求項１に記載の全地形対応の医療用のストレッチャー。
【発明の詳細な説明】
【技術分野】
【０００１】
本発明は医療看護分野に関わり、具体的には全地形対応の医療用のストレッチャーである。
【背景技術】
【０００２】
屋外レスキューの過程には、伝動的なストレッチャーは常に道が険しく、又は道路状況が複雑なため、レスキューは困難であり、それで負傷者が最適な救助時間を逃し、挽回できない傷害をもたらす恐れがあり、また伝統的なストレッチャーは、完全に人の力で担がれ、その過程にはかなり時間と力とを費やし、そしてレスキューの過程には、人の力でストレッチャーを担ぐことによって、ストレッチャーの安定性が良くなく、振れる又は横倒す問題が発生しやすく、搬送の過程には負傷者を苦痛にさせる。
【先行技術文献】
【特許文献】
【０００３】
【特許文献１】中国特許出願公開第１０６４７３８６９号明細書
【発明の概要】
【発明が解決しようとする課題】
【０００４】
本発明は全地形対応の医療用のストレッチャーを提供し、既存技術にある上記の欠点を解消することを目的とする。
【課題を解決するための手段】
【０００５】
上記の目的を実現するため、本発明は以下の技術プランを提供する：全地形対応の医療用のストレッチャーはストレッチャー主体を含む。
【０００６】
前記ストレッチャー主体の底面には作動ブロックが左右対称的に設置され、前記作動ブロックの中には押圧溝が形成されており、前記押圧溝の左右両側には防振チャンバが対称的に設置され、前記防振チャンバの中にはそれぞれ防振ロッドがスライドできるように連結され、前記防振ロッドと前記防振チャンバとの間には防振ばねが連結され、前記防振ロッドの下側には前進ブロックが固定的に設置され、前記前進ブロックの中には無限軌道チャンバが設置され、前記無限軌道チャンバと前記押圧溝との間には駆動装置が設置された。
【０００７】
前記駆動装置は駆動軸と、連動溝と、リングギヤと、伸縮スライド溝と、電磁スライド溝と、伸縮軸と、電磁石と、第三ベベルギヤと、連動軸と、駆動輪と、ガイド輪と、無限軌道と、第四ベベルギヤとによって構成され、前記押圧溝の中には前記駆動軸が回転できるように連結され、前記駆動軸の上側には連動溝が形成されており、前記連動溝の内壁にはリングギヤが固定的に設置され、前記連動溝の下側には伸縮スライド溝が形成されており、前記伸縮スライド溝の右側壁には電磁スライド溝が形成されており、前記伸縮スライド溝の中には伸縮軸がスライドできるように連結され、前記伸縮軸の右側面と前記電磁スライド溝の頂壁とにはそれぞれ電磁石が固定的に設置され、下側の前記電磁石が前記電磁スライド溝とスライドできるように連結され、前記伸縮軸の下側が下方へ伸びて前記前進ブロックの頂面を貫通して前記無限軌道チャンバの中に入り、且つ前記無限軌道チャンバの頂壁と前記前進ブロックの頂面と回転できるように連結され、前記伸縮軸の下側には第三べベルギヤが固定的に設置され、前記無限軌道チャンバの前後側壁には三つの連動軸が回転できるように連結され、各前記連動軸の前後両側にはそれぞれ駆動輪が固定的に設置され、前記無限軌道チャンバの前後側壁にはガイド輪が左右対称的に回転できるように連結され、前後両側の前記駆動輪と前記ガイド輪とにはそれぞれ無限軌道が前後対称的に連結され、中間の前記連動軸には前記第三べベルギヤと噛み合っている第四べベルギヤが固定的に設置された。
【０００８】
前記ストレッチャー主体の中には持ち上げチャンバが左右対称的に設置され、前記持ち上げチャンバの中には前記ストレッチャー主体を駆動して前方へ進ませることができるスイッチ装置が設置され、前記持ち上げチャンバの下側にはそれぞれ噛み合い溝が形成されており、前記ストレッチャー主体と前記噛み合い溝との間には動力装置が設置され、前記動力装置は前記駆動装置を回転連動させることができ、前記ストレッチャー主体の頂面には負傷者を固定できる固定装置が設置された。
【０００９】
上記の技術プランに基づいて、前記スイッチ装置は回転軸と、第一トーションばねと、矩形ロッドと、ヒンジブロックと、昇降スライドロッドと、連結軸と、第一ベベルギヤと、主動ギヤとによって構成され、前記持ち上げチャンバの前後側壁には前記回転軸が回転できるように連結され、前記回転軸には第一トーションばねが固定的に設置され、前記第一トーションばねの一端が前記持ち上げチャンバの後側壁と固定的に連結され、前記回転軸には矩形ロッドが固定的に設置され、前記矩形ロッドの片側にはヒンジブロックがヒンジで連結され、前記ヒンジブロックの片側には前記持ち上げチャンバの底壁と前記噛み合い溝の頂壁とスライドできるように連結された昇降スライドロッドがヒンジで連結され、前記昇降スライドロッドの底側には連結軸が回転できるように連結され、前記連結軸の上側には第一べベルギヤが固定的に設置され、前記連結軸の下側には前記リングギヤと噛み合うことができる主動ギヤが固定的に設置された。
【００１０】
上記の技術プランに基づいて、前記動力装置はモーターと、モーター軸と、第二ベベルギヤとによって構成され、前記ストレッチャー主体の中には前記モーターが固定的に設置され、前記モーターの中にはモーター軸が回転できるように連結され、前記モーター軸の左右両側がそれぞれ前記噛み合い溝の中に伸びており、且つ前記噛み合い溝の片側壁と回転できるように連結され、前記モーター軸の両側にはそれぞれ前記第一べベルギヤと噛み合うことができる第二べベルギヤが固定的に設置された。
【００１１】
上記の技術プランに基づいて、前記固定装置は貯蔵ブロックと、布チャンバと、開口溝と、トーション軸と、第二トーションばねと、固定布と、固定ロッドと、固定ブロックと、固定空間とによって構成され、前記ストレッチャー主体の頂面には前記貯蔵ブロックが左右対称的に設置され、前記貯蔵ブロックの中には布チャンバが設置され、前記布チャンバの前側側壁には前方に開口した開口溝が形成されており、前記布チャンバの左右側壁にはトーション軸が回転できるように連結され、前記トーション軸には第二トーションばねが固定的に設置され、前記第二トーションばねの一端が前記布チャンバの右側壁と固定的に連結され、前記トーション軸には固定布が設置され、前記固定布の片側が前記開口溝から張り出し、また前記固定布の片側には固定ロッドが固定的に連結され、前記ストレッチャー主体の頂面には固定ブロックが左右対称的に固定的に設置され、前記固定ブロックの中には前記固定ロッドと協働されることができる固定空間が設置された。
【００１２】
上記の技術プランに基づいて、前記固定布は軟質布によって作られ、柔軟性と引張性とを持ち、負傷者を快適にさせて前記ストレッチャー主体に固定できる。
【００１３】
上記の技術プランに基づいて、前記無限軌道は蝶番によって作られ、折り畳むことができる性能を持つと同時に一定の強度を持つ。
【００１４】
上記の技術プランに基づいて、二つの前記電磁石が通電する時に吸引し合うことができる。
【００１５】
上記の技術プランに基づいて、前記電磁石の吸引力は前記防振ばねの弾性より大きく、同時に険しい道を通る時、前記防振ばねは効果的に振動を抑えることができる。
【００１６】
上記の技術プランに基づいて、前記矩形ロッドは強度が大きい硬質合金によって支えられ、強い力受け能力を持つ。
【発明の効果】
【００１７】
本発明の有益な効果は：本装置は屋外で、レスキューが難しいところで負傷者を救うことができ、無限軌道によってストレッチャーを連動させて自動的に前方へ進ませることができ、救助者の体力を省き、また、無限軌道はより良い通過性を持ち、同時に道路状況によって自由に手動又は自動の二つのモードを切り換えることができ、険しい道を通る時、防振ばねは効果的に振動を抑えることができ、それによって負傷者はより快適な環境にいて、二次傷害を受けるのは容易ではなく、無限軌道を自動的に前方へ進む材料とし、タイヤに比べて前方へ進むことはもっと容易になり、しかも力を受ける面積は大きく、滑ると陥るなどの問題は発生しにくい。
【図面の簡単な説明】
【００１８】
本発明の実施例又は既存技術の技術プランを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１９】
【図１】図１は本発明の全地形対応の医療用のストレッチャーの全体全断面の正面構造略図
【図２】図２は本発明の図１の平面図
【図３】図３は本発明の図１の中のＡのところの部分拡大略図
【図４】図４は本発明の図２の中のＢのところの部分拡大略図
【図５】図５は本発明の図１の中のＣのところの部分拡大略図
【図６】図６は本発明の図２の中の固定ブロックの左面図
【発明を実施するための形態】
【００２０】
本説明書に開示したすべての特徴、または開示したすべての方法または過程中のステップは、互いに排斥する特徴と／またはステップ以外に、いずれもあらゆる方式で組み合わせることができる。
【００２１】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００２２】
図１〜６を参考し、本発明の実施例は：全地形対応の医療用のストレッチャーであり、全地形対応の医療用のストレッチャーはストレッチャー主体２１を含み、前記ストレッチャー主体２１の底面には作動ブロック３１が左右対称的に設置され、前記作動ブロック３１の中には押圧溝４０が形成されており、前記押圧溝４０の左右両側には防振チャンバ４８が対称的に設置され、前記防振チャンバ４８の中にはそれぞれ防振ロッド５０がスライドできるように連結され、前記防振ロッド５０と前記防振チャンバ４８との間には防振ばね４９が連結され、前記防振ロッド５０の下側には前進ブロック３２が固定的に設置され、前記前進ブロック３２の中には無限軌道チャンバ３６が設置され、前記無限軌道チャンバ３６と前記押圧溝４０との間には駆動装置１０１が設置され、前記駆動装置１０１は前記押圧溝４０の中に回転できるように取り付けられた駆動軸６５を含み、前記駆動軸６５の上側には連動溝５４が形成されており、前記連動溝５４の内壁にはリングギヤ５６が固定的に設置され、前記連動溝５４の下側には伸縮スライド溝６６が形成されており、前記伸縮スライド溝６６の右側壁には電磁スライド溝５３が形成されており、前記伸縮スライド溝６６の中には伸縮軸５１がスライドできるように連結され、前記伸縮軸５１の右側面と前記電磁スライド溝５３の頂壁とにはそれぞれ電磁石５２が固定的に設置され、下側の前記電磁石５２が前記電磁スライド溝５３とスライドできるように連結され、前記伸縮軸５１の下側が下方へ伸びて前記前進ブロック３２の頂面を貫通して前記無限軌道チャンバ３６の中に入り、且つ前記無限軌道チャンバ３６の頂壁と前記前進ブロック３２の頂面と回転できるように連結され、前記伸縮軸５１の下側には第三べベルギヤ３８が固定的に設置され、前記無限軌道チャンバ３６の前後側壁には三つの連動軸３５が回転できるように連結され、各前記連動軸３５の前後両側にはそれぞれ駆動輪３４が固定的に設置され、前記無限軌道チャンバ３６の前後側壁にはガイド輪３３が左右対称的に回転できるように連結され、前後両側の前記駆動輪３４と前記ガイド輪３３とにはそれぞれ無限軌道３９が前後対称的に連結され、中間の前記連動軸３５には前記第三べベルギヤ３８と噛み合っている第四べベルギヤ３７が固定的に設置され、前記ストレッチャー主体２１の中には持ち上げチャンバ２５が左右対称的に設置され、前記持ち上げチャンバ２５の中には前記ストレッチャー主体２１を駆動して前方へ進ませることができるスイッチ装置１０２が設置され、前記持ち上げチャンバ２５の下側にはそれぞれ噛み合い溝２２が形成されており、前記ストレッチャー主体２１と前記噛み合い溝２２との間には動力装置１０３が設置され、前記動力装置１０３は前記駆動装置１０１を回転連動させることができ、前記ストレッチャー主体２１の頂面には負傷者を固定できる固定装置１０４が設置された。
【００２３】
また、実施例に、前記スイッチ装置１０２は前記持ち上げチャンバ２５の前後側壁に回転できるように取り付けられた回転軸２７を含み、前記回転軸２７には第一トーションばね２９が固定的に設置され、前記第一トーションばね２９の一端が前記持ち上げチャンバ２５の後側壁と固定的に連結され、前記回転軸２７には矩形ロッド２８が固定的に設置され、前記矩形ロッド２８の片側にはヒンジブロック３０がヒンジで連結され、前記ヒンジブロック３０の片側には前記持ち上げチャンバ２５の底壁と前記噛み合い溝２２の頂壁とスライドできるように連結された昇降スライドロッド２３がヒンジで連結され、前記昇降スライドロッド２３の底側には連結軸４１が回転できるように連結され、前記連結軸４１の上側には第一べベルギヤ４２が固定的に設置され、前記連結軸４１の下側には前記リングギヤ５６と噛み合うことができる主動ギヤ５５が固定的に設置され、それによって前記矩形ロッド２８を下方へ押した時、前記ヒンジブロック３０によって前記昇降スライドロッド２３と、前記第一べベルギヤ４２と、前記連結軸４１と、前記主動ギヤ５５とを上方へ移動連動させ、それによって前記主動ギヤ５５が前記リングギヤ５６と噛み合い、その作用は動力を前記駆動装置１０１に伝送することである。
【００２４】
また、実施例に、前記動力装置１０３は前記ストレッチャー主体２１の中に固定的に取り付けられたモーター４３を含み、前記モーター４３の中にはモーター軸４４が回転できるように連結され、前記モーター軸４４の左右両側がそれぞれ前記噛み合い溝２２の中に伸びており、且つ前記噛み合い溝２２の片側壁と回転できるように連結され、前記モーター軸４４の両側にはそれぞれ前記第一べベルギヤ４２と噛み合うことができる第二べベルギヤ２４が固定的に設置され、前記モーター４３を始動し、それによって前記モーター軸４４と前記第二べベルギヤ２４とを回転連動させ、その作用は前記ストレッチャー主体２１の前進を制御できることである。
【００２５】
また、実施例に、前記固定装置１０４は前記ストレッチャー主体２１の頂面に左右対称的に固定的に取り付けられた貯蔵ブロック６０を含み、前記貯蔵ブロック６０の中には布チャンバ６３が設置され、前記布チャンバ６３の前側側壁には前方に開口した開口溝５９が形成されており、前記布チャンバ６３の左右側壁にはトーション軸６１が回転できるように連結され、前記トーション軸６１には第二トーションばね６４が固定的に設置され、前記第二トーションばね６４の一端が前記布チャンバ６３の右側壁と固定的に連結され、前記トーション軸６１には固定布６２が設置され、前記固定布６２の片側が前記開口溝５９から張り出し、また前記固定布６２の片側には固定ロッド５８が固定的に連結され、前記ストレッチャー主体２１の頂面には固定ブロック４６が左右対称的に固定的に設置され、前記固定ブロック４６の中には前記固定ロッド５８と協働されることができる固定空間４７が設置され、それによって負傷者は前記ストレッチャー主体２１に横にした時、前記固定ロッド５８を引き出し、それによって前記固定布６２を引き出し、そして前記固定ロッド５８を対応した前記固定空間４７の中に引っ掛からせ、その作用は負傷者を固定することである。
【００２６】
また、実施例に、前記固定布６２は軟質布によって作られ、柔軟性と引張性とを持ち、負傷者を快適にさせて前記ストレッチャー主体２１に固定できる。
【００２７】
また、実施例に、前記無限軌道３９は蝶番によって作られ、折り畳むことができる性能を持つと同時に一定の強度を持つ。
【００２８】
また、実施例に、二つの前記電磁石５２が通電する時に吸引し合うことができる。
【００２９】
また、実施例に、前記電磁石５２の吸引力は前記防振ばね４９の弾性より大きく、同時に険しい道を通る時、前記防振ばね４９は効果的に振動を抑えることができる。
【００３０】
また、実施例に、前記矩形ロッド２８は強度が大きい硬質合金によって支えられ、強い力受け能力を持つ。
【００３１】
使用の時、負傷者をストレッチャー主体２１の頂面に置き、そして固定ロッド５８を引き出し、それによって固定布６２を引き出し、そして固定ロッド５８を対応した固定空間４７の中に引っ掛からせ、負傷者を固定し、その後、モーター４３を始動し、それによってモーター軸４４と第二ベベルギヤ２４とを回転連動させ、矩形ロッド２８を下方へ押し、ヒンジブロック３０によって昇降スライドロッド２３と、第一ベベルギヤ４２と、連結軸４１と、主動ギヤ５５とを上方へ移動連動させ、それによって主動ギヤ５５がリングギヤ５６と噛み合い、それによって第二ベベルギヤ２４が第一ベベルギヤ４２と噛み合い、第二ベベルギヤ２４が第一ベベルギヤ４２と、連結軸４１と、主動ギヤ５５と、リングギヤ５６と、駆動軸６５と、伸縮軸５１と、第三ベベルギヤ３８と、第四ベベルギヤ３７と、連動軸３５と、駆動輪３４と、無限軌道３９とを回転連動させ、それによってストレッチャーを連動させて自動的に前方へ移動させることができ、乗り越えにくい障害物にあう時、二つの矩形ロッド２８を上方へ持ち上げ、それによって当接ブロック２６が持ち上げチャンバ２５の底壁と当接し、それによって第二ベベルギヤ２４が第一ベベルギヤ４２との噛み合いから離脱し、それによって主動ギヤ５５がリングギヤ５６との噛み合いから離脱し、その後、電磁石５２が通電して吸引し合い、それによって伸縮軸５１と電磁石５２とによって前進ブロック３２を持ち上げて前に進み、手で障害物を乗り越える。
【００３２】
本発明の有益な効果は：本装置は屋外で、レスキューが難しいところで負傷者を救うことができ、無限軌道によってストレッチャーを連動させて自動的に前方へ進ませることができ、救助者の体力を省き、また、無限軌道はより良い通過性を持ち、同時に道路状況によって自由に手動又は自動の二つのモードを切り換えることができ、険しい道を通る時、防振ばねは効果的に振動を抑えることができ、それによって負傷者はより快適な環境にいて、二次傷害を受けるのは容易ではなく、無限軌道を自動的に前方へ進む材料とし、タイヤに比べて前方へ進むことはもっと容易になり、しかも力を受ける面積は大きく、滑ると陥るなどの問題は発生しにくい。
【００３３】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020182810.tif 000003
【図２】
2020182810.tif 000004
【図３】
2020182810.tif 000005
【図４】
2020182810.tif 000006
【図５】
2020182810.tif 000007
【図６】
2020182810.tif 000008
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
正面視で、ストレッチャー主体を含み、前記ストレッチャー主体の底面には作動ブロックが左右対称的に設置され、前記作動ブロックの中には押圧溝が形成されており、前記押圧溝の左右両側には防振チャンバが対称的に設置され、前記防振チャンバの中にはそれぞれ防振ロッドがスライドできるように連結され、前記防振ロッドと前記防振チャンバとの間には防振ばねが連結され、前記防振ロッドの下側には前進ブロックが固定的に設置され、前記前進ブロックの中には無限軌道チャンバが設置され、前記無限軌道チャンバと前記押圧溝との間には駆動装置が設置され、
前記駆動装置は駆動軸と、連動溝と、リングギヤと、伸縮スライド溝と、電磁スライド溝と、伸縮軸と、電磁石と、第三ベベルギヤと、連動軸と、駆動輪と、ガイド輪と、無限軌道と、第四ベベルギヤとによって構成され、前記押圧溝の中には前記駆動軸が回転できるように連結され、前記駆動軸の上側には連動溝が形成されており、前記連動溝の内壁にはリングギヤが固定的に設置され、前記連動溝の下側には伸縮スライド溝が形成されており、前記伸縮スライド溝の右側壁には電磁スライド溝が形成されており、前記伸縮スライド溝の中には伸縮軸がスライドできるように連結され、前記伸縮軸の右側面と前記電磁スライド溝の頂壁とにはそれぞれ電磁石が固定的に設置され、下側の前記電磁石が前記電磁スライド溝とスライドできるように連結され、前記伸縮軸の下側が下方へ伸びて前記前進ブロックの頂面を貫通して前記無限軌道チャンバの中に入り、且つ前記無限軌道チャンバの頂壁と前記前進ブロックの頂面と回転できるように連結され、前記伸縮軸の下側には第三べベルギヤが固定的に設置され、前記無限軌道チャンバの前後側壁には三つの連動軸が回転できるように連結され、各前記連動軸の前後両側にはそれぞれ駆動輪が固定的に設置され、前記無限軌道チャンバの前後側壁にはガイド輪が左右対称的に回転できるように連結され、前後両側の前記駆動輪と前記ガイド輪とにはそれぞれ無限軌道が前後対称的に連結され、中間の前記連動軸には前記第三べベルギヤと噛み合っている第四べベルギヤが固定的に設置されたことを特徴とする全地形対応の医療用のストレッチャー。
【請求項２】
前記ストレッチャー主体の中には持ち上げチャンバが左右対称的に設置され、前記持ち上げチャンバの中には前記ストレッチャー主体を駆動して前方へ進ませることができるスイッチ装置が設置され、前記持ち上げチャンバの下側にはそれぞれ噛み合い溝が形成されており、前記ストレッチャー主体と前記噛み合い溝との間には動力装置が設置され、前記動力装置は前記駆動装置を回転連動させることができ、前記ストレッチャー主体の頂面には負傷者を固定できる固定装置が設置されたことを特徴とする請求項１に記載の全地形対応の医療用のストレッチャー。
【請求項３】
前記スイッチ装置は回転軸と、第一トーションばねと、矩形ロッドと、ヒンジブロックと、昇降スライドロッドと、連結軸と、第一ベベルギヤと、主動ギヤとによって構成され、前記持ち上げチャンバの前後側壁には前記回転軸が回転できるように連結され、前記回転軸には第一トーションばねが固定的に設置され、前記第一トーションばねの一端が前記持ち上げチャンバの後側壁と固定的に連結され、前記回転軸には矩形ロッドが固定的に設置され、前記矩形ロッドの片側にはヒンジブロックがヒンジで連結され、前記ヒンジブロックの片側には前記持ち上げチャンバの底壁と前記噛み合い溝の頂壁とスライドできるように連結された昇降スライドロッドがヒンジで連結され、前記昇降スライドロッドの底側には連結軸が回転できるように連結され、前記連結軸の上側には第一べベルギヤが固定的に設置され、前記連結軸の下側には前記リングギヤと噛み合うことができる主動ギヤが固定的に設置されたことを特徴とする請求項２に記載の全地形対応の医療用のストレッチャー。
【請求項４】
前記動力装置はモーターと、モーター軸と、第二ベベルギヤとによって構成され、前記ストレッチャー主体の中には前記モーターが固定的に設置され、前記モーターの中にはモーター軸が回転できるように連結され、前記モーター軸の左右両側がそれぞれ前記噛み合い溝の中に伸びており、且つ前記噛み合い溝の片側壁と回転できるように連結され、前記モーター軸の両側にはそれぞれ前記第一べベルギヤと噛み合うことができる第二べベルギヤが固定的に設置されたことを特徴とする請求項３に記載の全地形対応の医療用のストレッチャー。
【請求項５】
前記固定装置は貯蔵ブロックと、布チャンバと、開口溝と、トーション軸と、第二トーションばねと、固定布と、固定ロッドと、固定ブロックと、固定空間とによって構成され、前記ストレッチャー主体の頂面には前記貯蔵ブロックが左右対称的に設置され、前記貯蔵ブロックの中には布チャンバが設置され、前記布チャンバの前側側壁には前方に開口した開口溝が形成されており、前記布チャンバの左右側壁にはトーション軸が回転できるように連結され、前記トーション軸には第二トーションばねが固定的に設置され、前記第二トーションばねの一端が前記布チャンバの右側壁と固定的に連結され、前記トーション軸には固定布が設置され、前記固定布の片側が前記開口溝から張り出し、また前記固定布の片側には固定ロッドが固定的に連結され、前記ストレッチャー主体の頂面には固定ブロックが左右対称的に固定的に設置され、前記固定ブロックの中には前記固定ロッドと協働されることができる固定空間が設置されたことを特徴とする請求項２に記載の全地形対応の医療用のストレッチャー。
【請求項６】
前記固定布は軟質布によって作られ、柔軟性と引張性とを持ち、負傷者を快適にさせて前記ストレッチャー主体に固定できることを特徴とする請求項５に記載の全地形対応の医療用のストレッチャー。
【請求項７】
前記無限軌道は蝶番によって作られ、折り畳むことができる性能を持つと同時に一定の強度を持つことを特徴とする請求項１に記載の全地形対応の医療用のストレッチャー。
【請求項８】
二つの前記電磁石が通電する時に吸引し合うことができることを特徴とする請求項１に記載の全地形対応の医療用のストレッチャー。
【請求項９】
前記電磁石の吸引力は前記防振ばねの弾性より大きく、同時に険しい道を通る時、前記防振ばねは効果的に振動を抑えることができることを特徴とする請求項１に記載の全地形対応の医療用のストレッチャー。
【請求項１０】
前記矩形ロッドは強度が大きい硬質合金によって支えられ、強い力受け能力を持つことを特徴とする請求項３に記載の全地形対応の医療用のストレッチャー。